(57)【特許請求の範囲】
【請求項１】
並列した複数のブロック体を一度に吊り上げて所定位置に移動させて据付けるブロック体の据付方法において、前記ブロック体の上面に載置される少なくとも２台の支持体と、これら支持体に掛け渡されて固定される梁体とを備えて、前記支持体が前記ブロック体の並列方向とは直交する方向となるブロック体前後方向に延設されたベース部と、このベース部から上方に立設された立設部と、前記ベース部の前端から下方に延びる前端係合部とで構成された据付治具を、その支持体を、前記ベース部をブロック体の上面に当接させてブロック体の上面に載置して、その際に前記前端係合部を前記ブロック体の前端に係合させ、梁体が並列した複数のブロック体の上方でこれらブロック体を横断する状態にして、自立させて配置した後、それぞれのブロック体の上面に設けた係止部と、それぞれの係止部に対応した位置に設けられた前記梁体の吊り部とを吊り手段で連結し、次いで、この据付治具を吊り上げることにより、並列した複数のブロック体を一度に吊り上げて、その際に前記前端係合部は前記ブロック体の上面の前方方向延長線の位置よりも下方に突出した状態にして、所定位置に移動させて据付けることを特徴とするブロック体の据付方法。
【請求項２】
前記並列したブロック体のそれぞれに形成されたブロック体並列方向に貫通する貫通穴に連通手段を連通させて、この並列したブロック体を横断させた連通手段の両端にストッパを取付けた後に、ブロック体を吊り上げる請求項１に記載のブロック体の据付方法。
【請求項３】
前記据付治具を、それぞれの梁体が平行になるように複数配置し、隣り合う梁体どうしを連結部材により連結した複数の据付治具により、並列したブロック体を複数平行に配置した状態で、一度に吊り上げて所定位置に移動させて据付ける請求項１または２に記載のブロック体の据付方法。
【請求項４】
前記ブロック体の下に予め防砂シートを取り付けた状態にしておき、ブロック体と防砂シートを一体的に吊り上げて所定位置に移動させて据付ける請求項１〜３のいずれかに記載のブロック体の据付方法。
【請求項５】
並列した複数のブロック体を一度に吊り上げて所定位置に移動させて据付けるブロック体の据付治具において、前記ブロック体の上面に載置される少なくとも２台の支持体と、これら支持体に掛け渡されて固定される梁体とを備えて、前記支持体を前記ブロック体の並列方向に直交する方向となるブロック体前後方向に延設されたベース部とこのベース部から上方に立設された立設部と、前記ベース部の前端から下方に延びる前端係合部とで構成され、前記支持体を、そのベース部をブロック体の上面に当接させてブロック体の上面に載置した際に、前記前端係合部が前記ブロック体の前端に係合し、前記梁体が並列した複数のブロック体の上方でこれらブロック体を横断する状態になって、自立するとともに、それぞれのブロック体の上面に設けた係止部に対応する位置に、梁体が吊り手段を有し、この据付治具を吊り上げて前記並列した複数のブロック体を一度に吊り上げた際には前記前端係合部は前記ブロック体の上面の前方方向延長線の位置よりも下方に突出した状態になる構成にしたことを特徴とするブロック体の据付治具。
【請求項６】
前記並列したブロック体のそれぞれに形成されたブロック体並列方向に貫通する貫通穴に連通する連通手段と、この並列したブロック体を横断して連通させた連通手段の両端に取付けられるストッパとを設けた請求項５に記載のブロック体の据付治具。
【請求項７】
前記少なくとも２台の支持体に掛け渡されて固定されるとともに、前記吊り手段を設けた前記梁体を複数備え、この複数の梁体を平行に配置して、隣り合う梁体どうしを連結部材により連結した請求項５または６に記載のブロック体の据付治具。
【発明の詳細な説明】
【技術分野】
【０００１】
本発明は、ブロック体の据付方法およびブロック体の据付治具に関し、さらに詳しくは、複数のブロック体を並列した状態で効率よく安全に吊り上げて所定位置に据付けることができるブロック体の据付方法およびブロック体の据付治具に関するものである。
【背景技術】
【０００２】
従来、海岸の侵食を防止する様々な方法が試みられている（例えば、特許文献１参照）。特許文献１では、消波用異形ブロック等を海中に設置して、波によって運ばれる砂礫をブロックの前後に堆積させる方法が提案されている。このようなブロック体は並列させて海中に多数設置しなければならない。それ故、クレーンを用いて一度に数多くのブロック体を吊り上げて所定の位置に据付けることができれば効率的である。しかしながら、複数のブロック体を並列させた状態で吊り上げて所定の場所に据付けるには、安定性を確保して一連の作業を安全に行なう必要があるため容易ではない。そのため、ブロック体を１個ずつ吊り上げて海中に設置しなければならず、作業効率を向上させることは困難であった。
【先行技術文献】
【特許文献】
【０００３】
【特許文献１】特開２００５−２７３７号公報
【発明の概要】
【発明が解決しようとする課題】
【０００４】
本発明の目的は、複数のブロック体を並列した状態で効率よく安全に吊り上げて所定位置に据付けることができるブロック体の据付方法およびブロック体の据付治具を提供することにある。
【課題を解決するための手段】
【０００５】
上記目的を達成するため本発明のブロック体の据付方法は、並列した複数のブロック体を一度に吊り上げて所定位置に移動させて据付けるブロック体の据付方法において、前記ブロック体の上面に載置される少なくとも２台の支持体と、これら支持体に掛け渡されて固定される梁体とを備えて、前記支持体が前記ブロック体の並列方向とは直交する方向となるブロック体前後方向に延設されたベース部と、このベース部から上方に立設された立設部と、前記ベース部の前端から下方に延びる前端係合部とで構成された据付治具を、その支持体を、前記ベース部をブロック体の上面に当接させてブロック体の上面に載置して、その際に前記前端係合部を前記ブロック体の前端に係合させ、梁体が並列した複数のブロック体の上方でこれらブロック体を横断する状態にして、自立させて配置した後、それぞれのブロック体の上面に設けた係止部と、それぞれの係止部に対応した位置に設けられた前記梁体の吊り部とを吊り手段で連結し、次いで、この据付治具を吊り上げることにより、並列した複数のブロック体を一度に吊り上げて、その際に前記前端係合部は前記ブロック体の上面の前方方向延長線の位置よりも下方に突出した状態にして、所定位置に移動させて据付けることを特徴とする。
【０００６】
ここで、前記並列したブロック体のそれぞれに形成されたブロック体並列方向に貫通する貫通穴に連通手段を連通させて、この並列したブロック体を横断させた連通手段の両端にストッパを取付けた後に、ブロック体を吊り上げることもできる。前記据付治具を、それぞれの梁体が平行になるように複数配置し、隣り合う梁体どうしを連結部材により連結した複数の据付治具により、並列したブロック体を複数平行に配置した状態で、一度に吊り上げて所定位置に移動させて据付けることもできる。前記ブロック体の下に予め防砂シートを取り付けた状態にしておき、ブロック体と防砂シートを一体的に吊り上げて所定位置に移動させて据付けることもできる。
【０００７】
本発明はブロック体の据付治具は、並列した複数のブロック体を一度に吊り上げて所定位置に移動させて据付けるブロック体の据付治具において、前記ブロック体の上面に載置される少なくとも２台の支持体と、これら支持体に掛け渡されて固定される梁体とを備えて、前記支持体を前記ブロック体の並列方向に直交する方向となるブロック体前後方向に延設されたベース部とこのベース部から上方に立設された立設部と、前記ベース部の前端から下方に延びる前端係合部とで構成され、前記支持体を、そのベース部をブロック体の上面に当接させてブロック体の上面に載置した際に、前記前端係合部が前記ブロック体の前端に係合し、前記梁体が並列した複数のブロック体の上方でこれらブロック体を横断する状態になって、自立するとともに、それぞれのブロック体の上面に設けた係止部に対応する位置に、梁体が吊り手段を有し、この据付治具を吊り上げて前記並列した複数のブロック体を一度に吊り上げた際には前記前端係合部は前記ブロック体の上面の前方方向延長線の位置よりも下方に突出した状態になる構成にしたことを特徴とする。
【０００８】
ここで、前記並列したブロック体のそれぞれに形成されたブロック体並列方向に貫通する貫通穴に連通する連通手段と、この並列したブロック体を横断して連通させた連通手段の両端に取付けられるストッパとを設けた仕様にすることもできる。前記少なくとも２台の支持体に掛け渡されて固定されるとともに、前記吊り手段を設けた前記梁体を複数備え、この複数の梁体を平行に配置して、隣り合う梁体どうしを連結部材により連結した仕様にすることもできる。
【発明の効果】
【０００９】
本発明のブロック体の据付方法によれば、ブロック体の上面に載置される少なくとも２台の支持体と、これら支持体に掛け渡されて固定される梁体とを備えた据付治具を、その支持体をブロック体の上面に載置して、梁体が並列した複数のブロック体の上方でこれらブロック体を横断する状態にして、自立させて配置するので、据付治具を安定してブロック体の列の上に配置することができる。このように据付治具を配置した後、それぞれのブロック体の上面に設けた係止部と、それぞれの係止部に対応した位置に設けられた梁体の吊り部とを吊り手段で連結するので、安全に連結作業を行なうことができる。次いで、この据付治具を吊り上げることにより、並列した複数のブロック体を一度に吊り上げるので、ブロック体の列を安定して所定位置に移動させて、効率的に据付作業を行なうことができる。
【００１０】
本発明のブロック体の据付治具によれば、ブロック体の上面に載置される少なくとも２台の支持体と、これら支持体に掛け渡されて固定される梁体とを備え、支持体をブロック体の上面に載置した際に、前記梁体が並列した複数のブロック体の上方でこれらブロック体を横断する状態になって、自立するので、据付治具を安定してブロック体の列の上に配置することができる。このように据付治具を配置した際には、それぞれのブロック体の上面に設けた係止部に対応する位置に、梁体が吊り手段を有するので、それぞれの係止部に、それぞれの係止部に対応する吊り手段を安全に連結することができる。その後、この据付治具を吊り上げることにより、並列した複数のブロック体が一度に吊り上がるので、ブロック体の列を安定して所定位置に移動させて、効率的に据付作業を行なうことができる。
【図面の簡単な説明】
【００１１】
【図１】本発明の据付治具を例示する正面図である。
【図２】図１の据付治具の平面図である。
【図３】図１の据付治具の側面図である。
【図４】ブロック体を例示する平面図である。
【図５】図４のブロック体の側面図である。
【図６】防砂シートの上で並列したブロック体を例示する平面図である。
【図７】並列したブロック体に据付治具を取り付ける工程を例示する平面図である。
【図８】図７の工程を例示する側面図である。
【図９】図７の工程を例示する正面図である。
【図１０】並列したブロック体を吊り上げる工程を例示する側面図である。
【図１１】図１０の工程を例示する正面図である。
【図１２】吊り上げた並列したブロック体を所定の位置に据え付ける工程を例示する側面図である。
【図１３】ブロック体を据付ける水底領域を例示する平面図である。
【図１４】据付治具の別の実施形態を例示する平面図である。
【図１５】並列したブロック体に図１４の据付治具を取り付ける工程を例示する平面図である。
【図１６】図１５の工程を例示する側面図である。
【発明を実施するための形態】
【００１２】
以下、本発明のブロック体の据付方法および据付治具を図に示した実施形態に基づいて説明する。
【００１３】
図１〜図３に例示するように本発明の据付治具１は、２台の支持体２と、これら支持体２に掛け渡されて固定される梁体３とを備えている。支持体２は、少なくとも２台であればよく、３台以上設けることもできる。
【００１４】
この実施形態では、支持体２がベース部２ａとベース部２ａの長手方向両端から上方に立設された立設部２ｂとベース部２ａの前端から下方に延びる前端係合部２ｃとで構成されている。ベース部２ａと２本の立設部２ｂとは、側面視で三角形状に連結されている。立設部２ｂの上端どうしが連結した部分に梁体３が固定されている。
【００１５】
梁体３は、長手方向に所定間隔で吊り部４を有していて、それぞれの吊り部４には、吊りチェーンや吊りワイヤ等の吊り手段５が取り付けられている。梁体３の上面には吊りワイヤ係止部３ａが設けられている。吊りワイヤ係止部３ａには、クレーンからの吊りワイヤ８が係止される。
【００１６】
梁体３としてはＨ形鋼等を用いることができる。支持体２もＨ形鋼等を用いて構成することができる。
【００１７】
この据付治具１を用いて海底等の所定位置に据付けられるのは、図４、図５に例示するブロック体９である。同仕様（同形状で同サイズ）の複数のブロック体９が、幅方向端面どうしを隣接させて並列した状態で一度に吊り上げられて所定位置に据付けられることになる。
【００１８】
それぞれのブロック体９の上面にはアンカー等の係止部９ａが設けられている。係止部９ａは上面から突出しないものが好ましい。係止部９ａは、平面視でブロック体９の重心位置に設けられている。
【００１９】
また、ブロック体９の幅方向一端面から他端面に貫通して、ブロック体９の内部を幅方向に貫通する貫通穴９ｂが形成されている。貫通穴９ｂには繊維ロープ等の連通手段７が挿通される。
【００２０】
このブロック体９は側面視の上面形状が、海底に形成される砂れんをＳＩＮカーブを近似した形状になっている。ブロック体９の前端部の下面には円弧状の凹部が形成され、後端部には上方に突出する円弧状の突出部が形成されている。この凹部と突出部は互いに嵌合する形状になっている。
【００２１】
この実施形態では、海岸の侵食を防止するために、このような特殊形状のブロック体９を据付けるが、本発明は、その他のブロック体９の据付に適用することができる。例えば、方塊ブロックや根固めブロック等の据付に適用できる。
【００２２】
この据付治具１を用いて、ブロック体９を所定位置に据付ける方法を以下に説明する。
【００２３】
まず、図６に例示するように、複数のブロック体９を並列した状態にする。この実施形態では、防砂シート１０の上にブロック体９が並列した状態になっている。防砂シート１０とブロック体９とは、両面テープ等の接着部材１１によって接合される。防砂シート１０の前端部のみが、ブロック体９の下方に配置されて、防砂シート１０の後端部側はブロック体９の後方側に露出した状態になっている。
【００２４】
図７〜図９に例示するように、吊りワイヤ８により据付治具１を吊り上げて、並列したブロック体９の上に移動させる。次いで、支持体２を並列したブロック体９の上面に載置する。ベース部２ａがブロック体９の上面に当接し、前端係合部２ｃがブロック体９の前端に当接することにより、支持体２は、ガタつかず安定してブロック体９の上面に載置され、据付治具１はブロック体９の上に自立する。
【００２５】
このように据付治具１を自立させて配置するので、据付治具１を安定してブロック体９の列の上に配置することができる。支持体２は、据付けるブロック体９の上面形状に応じて据付治具１が自立できる形状に設定して、載置した際の安定性を確保する。
【００２６】
並列したブロック体９の上面に支持体２を載置した際には、梁体３が並列した複数のブロック体９の上方で並列したブロック体９を横断する状態になる。並列したブロック体９の予め設定された所定位置に据付治具１を配置すると、それぞれのブロック体９の上面に設けた係止部９ａに対応する位置（係止部９ａの真上）に、吊り部４（吊り手段５）が配置されるようになっている。
【００２７】
この状態の吊り部４と係止部９ａとの直線距離よりも、吊り手段５の長さの方が長くなるように設定しておく。次いで、それぞれ対応する吊り部４と係止部９ａとを吊り手段５により連結する。また、並列したそれぞれのブロック体９の貫通穴９ｂに連通手段７を挿通させて、並列したブロック体９に連通手段７を横断させる。横断させた連通手段７の両端にはストッパ７ａを取り付ける。
【００２８】
据付治具１が自立してブロック体９の上面に安定して載置されているので、連結手段５の連結作業を安全に行なうことができる。
【００２９】
次いで、図１０、図１１に例示するように、この据付治具１を吊りワイヤ８により吊り上げることにより、吊り手段５が緊張し、並列した複数のブロック体９は一度に吊り上げられる。係止部９ａがブロック体９の重心位置に設けられているので、ブロック体９を安定して吊り上げるには有利になっている。また、並列したブロック体９を横断するように連通手段７を連通させているので、ブロック体９を安定して吊り上げて移動させるには、益々有利になっている。
【００３０】
この実施形態では、ブロック体９に防砂シート１０が取り付けられているので、防砂シート１０がブロック体９と一体的に吊り上げられる。そこで、防砂シート１０が邪魔にならないように、防砂シート１０を折り返して後端側をブロック体９の上面に載せるようにするとよい。尚、ブロック体９に比して防砂シート１０の重量は非常に軽いため、防砂シート１０を取り付けても、吊り上げた際のブロック体９のバランスに実質的な悪影響が生じることはなく、安定した状態を維持することができる。
【００３１】
吊り上げて移動させたブロック体９の列は、図１２に例示するように、水底の所定位置に据付けられる。ブロック体９は、既に据付けられているブロック体９の後端部の突出部に、自身の凹部を嵌合させるように据付けられる。このようにして、既に水底に据付けられている防砂シート１０の上に、新たなブロック体９が載置されることになる。この据付作業を繰り返して、必要な水底領域にブロック体９を据付ける。
【００３２】
例えば、図１３に示すように、必要な水底領域Ａに対して、沖側から岸側に向かって順次、ブロック体９の列を据付ける。ブロック体９は後端部の突出部が岸側になるように配置される。ブロック体９を据付けた部分には、その外周側に根固めブロック１２等を配置して砂地盤の洗掘を防止する。
【００３３】
このようにして、並列した複数のブロック体９を、並列した状態のまま、一度に吊り上げて所定位置に移動させて据付けることができるので、据付作業の効率を大幅に向上させることが可能になる。
【００３４】
さらに、この実施形態では、ブロック体９の下に防砂シート１０が敷設されているので、砂地盤の砂の吸い出しを一段と確実に防止することができる。それ故、ブロック体９を据付けた状態を長期間安定して維持することができる。
【００３５】
また、並列したブロック体９を横断するように連通手段７を連通させているので、ブロック体９を据付けた状態を長期間安定して維持するには、より有利になっている。並列したブロック体９の列どうしの間のブロック体９の目地は、幅方向にずらすように据付けることが好ましい。このようにブロック体９の目地をずらすことも、ブロック体９を据付けた状態を長期間安定して維持するには寄与する。
【００３６】
このブロック体９の列を必要な水底領域Ａに据付けることで、波によって運ばれる砂礫の移動方向が岸側に向かうように制御される。したがって、沖側に流失する砂が少なくなる一方で岸側に砂が堆積するようになり、海岸の侵食が防止されることになる。
【００３７】
図１４に据付治具１の別の実施形態を例示する。この実施形態は先の実施形態の少なくとも２台の支持体２に掛け渡されて固定されるとともに、吊り手段５を設けた梁体３を２本備えている。そして２本の梁体３を平行に配置して、隣り合う梁体３どうしを連結部材６により連結したものである。
【００３８】
連結部材６は、梁体３と溶接等で連結することもできるが、ボルト締結等によって着脱自在にすることもできる。連結部材６として、Ｈ形鋼等を使用することができる。
【００３９】
それぞれの梁体３に固設されている支持体２の取り付け位置は異なっている。そして、梁体３どうしは、互いの支持体２が干渉しないように長手方向にオフセットされて連結されている。この実施形態では、支持体２の取り付け位置が異なる２種類の梁体３を用いているが、互いの支持体２が干渉しなければ、１種類の梁体３どうしを連結することも可能である。また、連結する梁体３の数は２本に限定されるものではない。
【００４０】
この据付治具１を使用してブロック体９を所定位置に据付ける方法は、基本的に先の実施形態と同じである。この実施形態では、並列したブロック体９の２つの列を予め前後に組付けて配置しておく。
【００４１】
そして、図１５、図１６に例示するように、それぞれの梁体３の支持体２を、対応するブロック体９の列のブロック体９の上面に載置する。尚、図１５では、防砂シート１０を省略して図示している。それぞれの梁体３が、並列した複数のブロック体９の上方でこれらブロック体９を横断する状態になるようにして、据付治具１を自立させて配置する。その後、それぞれのブロック体９の上面に設けた係止部９ａと、それぞれの係止部９ａに対応した位置に設けられた梁体３の吊り部４とを吊り手段５で連結する。次いで、この据付治具１を吊り上げることにより、並列したブロック体９の２列を一度に吊り上げて所定位置に移動させて据付ける。
【００４２】
この実施形態によれば、より多数のブロック体９を一度に所定位置に据付けることが可能になる。
【符号の説明】
【００４３】
１  据付治具
２  支持体
２ａ  ベース部
２ｂ  立設部
２ｃ  前端係合部
３  梁体
３ａ  吊りワイヤ係止部
４  吊り部
５  吊り手段
６  連結部材
７  連通手段
７ａ  ストッパ
８  吊りワイヤ
９  ブロック体
９ａ  係止部
９ｂ  貫通穴
１０  防砂シート
１１  接着部材
１２  根固めブロック
【図１】
0005548522.tif 000002
【図２】
0005548522.tif 000003
【図３】
0005548522.tif 000004
【図４】
0005548522.tif 000005
【図５】
0005548522.tif 000006
【図６】
0005548522.tif 000007
【図７】
0005548522.tif 000008
【図８】
0005548522.tif 000009
【図９】
0005548522.tif 000010
【図１０】
0005548522.tif 000011
【図１１】
0005548522.tif 000012
【図１２】
0005548522.tif 000013
【図１３】
0005548522.tif 000014
【図１４】
0005548522.tif 000015
【図１５】
0005548522.tif 000016
【図１６】
0005548522.tif 000017